(57)【特許請求の範囲】
【請求項１】
シャッター式二重アダプタであって、
シャッター式筐体と、
前記筐体内に収容されるシャッターサブアセンブリフレームであって、前記二重アダプタの隣接ポート間に配置されたシャッターサブアセンブリフレームと、
前記シャッターサブアセンブリフレームにヒンジ連結して固定される第１および第２のシャッター扉であって、前記筐体内に収容される第１および第２のシャッター扉と、
前記第１のシャッター扉が前記二重アダプタの前記隣接ポートの第１のポートを少なくとも部分的に閉塞しかつ前記第２のシャッター扉が前記二重アダプタの前記隣接ポートの第２のポートを少なくとも部分的に閉塞するように、前記第１および第２のシャッター扉を前記シャッターサブアセンブリフレームから外側に、かつ互いから離れて押すように構成される扉バネと、を備え、
前記シャッターサブアセンブリフレームが、前記シャッター式筐体の後部に位置付けられるスロット内に摺動することによって前記シャッター式筐体内に保持される、シャッター式アダプタ。
【請求項２】
前記第１および第２のシャッター扉が互いに独立して動作する、請求項１に記載のシャッター式アダプタ。
【請求項３】
前記第１および第２のシャッター扉が、前記シャッターサブアセンブリフレーム上の棒に係合する前記第１および第２のシャッター扉上のＣ型クランプを介して前記シャッターサブアセンブリフレームに取り付けられる、請求項１に記載のシャッター式アダプタ。
【請求項４】
前記第１および第２のシャッター扉が、
前記第１および第２のシャッター扉上に位置付けられる棒および穴アセンブリ、ならびに
前記第１のシャッター扉および前記シャッターサブアセンブリフレーム上に位置付けられる保持隆起部
を介して、
前記シャッターサブアセンブリフレームに取り付けられる、請求項１に記載のシャッター式アダプタ。
【請求項５】
前記扉バネが定形ワイヤねじりバネである、請求項１に記載のシャッター式アダプタ。
【請求項６】
前記扉バネが、バネ本体と、一対のバネアームと、を有し、前記バネアームが、前記第１のシャッター扉と前記第２のシャッター扉との間に設置され、かつ外向きの力を適用するように構成される、請求項５に記載のシャッター式アダプタ。
【請求項７】
前記扉バネの前記バネ本体が、保持隆起部を介して前記シャッターサブアセンブリフレームに固定される、請求項６に記載のシャッター式アダプタ。
【請求項８】
前記扉バネが平らな定形バネである、請求項１に記載のシャッター式アダプタ。
【請求項９】
前記シャッター扉がフェルール解放ポケットをさらに備える、請求項１に記載のシャッター式アダプタ。
【請求項１０】
前記シャッター式筐体に固定される標準筐体をさらに備える、請求項１に記載のシャッター式アダプタ。
【請求項１１】
前記標準筐体が、スナップオン機構を介して前記シャッター式筐体に固定される、請求項１０に記載のシャッター式アダプタ。
【請求項１２】
前記標準筐体および前記シャッター式筐体がそれぞれ、少なくとも１つの保持孔を備え、前記標準筐体の前記少なくとも１つの保持孔が、前記シャッター式筐体の前記少なくとも１つの保持孔と整合する、請求項１１に記載のシャッター式アダプタ。
【請求項１３】
少なくとも１つの整合スリーブをさらに備え、前記少なくとも１つの整合スリーブが、前記標準筐体の前記少なくとも１つの保持孔および前記シャッター式筐体の前記少なくとも１つの保持孔を通して挿入される、請求項１２に記載のシャッター式アダプタ。
【発明の詳細な説明】
【技術分野】
【０００１】
本発明は、概して、光ファイバー接続に関し、より具体的には、シャッター式ＬＣ光ファイバーアダプタに関する。
【背景技術】
【０００２】
光アダプタは、光コネクタ間の接続を提供することができる。しかしながら、コネクタ内の空洞は、粉塵および残屑に敏感である。加えて、被覆されていないコネクタから放出される光は、光ファイバーシステムを設置または修理する作業者または技術者の目を損傷し得る。
【発明の概要】
【課題を解決するための手段】
【０００３】
本出願は、シャッター式筐体、筐体内に収容されるシャッターサブアセンブリフレーム、シャッターサブアセンブリフレームにヒンジ連結して固定される一対のシャッター扉、およびシャッター扉をシャッターサブアセンブリフレームから外側に、かつ互いから離れて押すように構成される扉バネを含むシャッター式ＬＣアダプタを説明する。
【０００４】
いくつかの実施形態において、シャッターサブアセンブリフレームは、シャッター式筐体の後部に位置付けられるスロット内に摺動することによってシャッター式筐体内に保持される。
【０００５】
いくつかの実施形態において、シャッター扉は、シャッターサブアセンブリフレーム上の棒に係合するシャッター扉上のＣ型クランプを介して、またはシャッター扉上の棒および穴アセンブリならびにシャッター扉およびシャッターサブアセンブリフレーム上の棒と穴の組み合わせを介してシャッターサブアセンブリフレームにヒンジ連結して固定される。
【０００６】
いくつかの実施形態において、扉バネは、定形ワイヤねじりバネであり、バネ本体および一対のバネアームを含んでもよい。扉バネは、保持隆起部を介してシャッターサブアセンブリフレームに取り付けられてもよい。
【０００７】
いくつかの実施形態において、扉バネは、平らな定形バネであってもよい。
【０００８】
いくつかの実施形態において、シャッター扉は、フェルール解放ポケットを含む。
【０００９】
いくつかの実施形態において、標準筐体およびシャッター式筐体は、互いに整合する保持孔を有する。整合スリーブは、保持孔内に保持されてもよい。
【００１０】
本発明は、筐体および筐体の中央壁の前面に取り付けられるバネ様のシャッターを含むシャッター式ＬＣアダプタも説明する。シャッターは、後方角度でアダプタのポート内に延在する一対の扉フラップを有する。
【００１１】
いくつかの実施形態において、シャッターは、バネ鋼等のバネ様の金属から構成されてもよい。
【図面の簡単な説明】
【００１２】
【図１】シャッター式ＬＣアダプタの第１の実施形態の斜視図である。
【図２】図１のシャッター式ＬＣアダプタの分解斜視図である。
【図３】シャッターサブアセンブリフレームに取り付けられた図１のシャッター式ＬＣアダプタのシャッター扉を示す斜視図である。
【図４】シャッターサブアセンブリフレームに取り付けられた図１のシャッター式ＬＣアダプタのシャッター扉を示す斜視図である。
【図５】シャッターサブアセンブリフレームに取り付けられた図１のシャッター式ＬＣアダプタの扉バネを示す斜視図である。
【図６】シャッターサブアセンブリフレームに取り付けられた図１のシャッター式ＬＣアダプタの扉バネを示す斜視図である。
【図７】シャッター式筐体への扉バネ、シャッター扉、およびシャッターサブアセンブリフレームの挿入を示す斜視図である。
【図８】シャッター式筐体への扉バネ、シャッター扉、およびシャッターサブアセンブリフレームの挿入を示す斜視図である。
【図９】シャッター式筐体に固定された図１のシャッター式ＬＣアダプタの標準筐体を示し、保持孔内に設置された整合スリーブも示す。
【図１０】シャッター式筐体に固定された図１のシャッター式ＬＣアダプタの標準筐体を示し、保持孔内に設置された整合スリーブも示す。
【図１１】シャッター式ＬＣアダプタへの二重コネクタの挿入を示す図１のシャッター式ＬＣアダプタの上から見た断面図である。
【図１２】シャッター式ＬＣアダプタへの二重コネクタの挿入を示す図１のシャッター式ＬＣアダプタの上から見た断面図である。
【図１３】シャッター式ＬＣアダプタへの二重コネクタの挿入を示す図１のシャッター式ＬＣアダプタの上から見た断面図である。
【図１４】シャッター式ＬＣアダプタの第２の実施形態の分解斜視図である。
【図１５】シャッターサブアセンブリフレームに取り付けられ、かつシャッター扉間に挿入された図１４のシャッター式ＬＣアダプタの扉バネを示す斜視図である。
【図１６】シャッターサブアセンブリフレームに取り付けられ、かつシャッター扉間に挿入された図１４のシャッター式ＬＣアダプタの扉バネを示す斜視図である。
【図１７】シャッター式ＬＣアダプタへの二重コネクタの挿入を示す図１４のシャッター式ＬＣアダプタの上から見た断面図である。
【図１８】シャッター式ＬＣアダプタへの二重コネクタの挿入を示す図１４のシャッター式ＬＣアダプタの上から見た断面図である。
【図１９】シャッター式ＬＣアダプタへの二重コネクタの挿入を示す図１４のシャッター式ＬＣアダプタの上から見た断面図である。
【図２０】シャッター式ＬＣアダプタ第３の実施形態を示す斜視図である。
【図２１】シャッター式ＬＣアダプタ第３の実施形態を示す斜視図である。
【図２２】シャッター式ＬＣアダプタへの二重コネクタの挿入を示す図２０および２１のシャッター式ＬＣアダプタの上から見た断面図である。
【図２３】シャッター式ＬＣアダプタへの二重コネクタの挿入を示す図２０および２１のシャッター式ＬＣアダプタの上から見た断面図である。
【図２４】シャッター式ＬＣアダプタへの二重コネクタの挿入を示す図２０および２１のシャッター式ＬＣアダプタの上から見た断面図である。
【発明を実施するための形態】
【００１３】
図１〜１３は、シャッター式ＬＣアダプタ１００の第１の実施形態を示す。図２に最も良く示されるように、アダプタは、標準筐体１１０、シャッター式筐体１２０、整合スリーブ１３０、シャッター扉１５０，１５１、シャッターサブアセンブリフレーム１６０、および扉バネ１７０を含む。
【００１４】
図３および４に最も良く示されるように、シャッター扉１５０，１５１は、一緒に入れ子にされ、かつシャッター扉１５０，１５１上に位置付けられるＣ型クランプ１５２を介してシャッターサブアセンブリフレーム１６０上のフレーム棒１６１に取り付けられてもよい。Ｃ型クランプ１５２は、シャッター扉１５０，１５１が一緒に入れ子にされるときに第１の扉１５０のＣ型クランプ１５２が第２の扉１５１のＣ型クランプ１５２の真上に位置付けられるように配置されてもよい。
【００１５】
図５および６に示されるように、扉バネ１７０は、バネ本体１７１および一対のバネアーム１７２を有する。バネ本体１７０は、シャッターサブアセンブリフレーム１６０上に位置付けられる一対の保持隆起部１６２を介してシャッターサブアセンブリフレーム１６０の後部に取り付けられる（保持隆起部１６２の最良の表示については、図３および４を参照のこと）。バネアーム１７２は、シャッター扉１５０と１５１との間に挿入され、かつシャッター扉１５０，１５１をシャッターサブアセンブリフレーム１６０から外側に、互いから離れて押す力を提供するように構成される。
【００１６】
図７および８に示されるように、シャッターサブアセンブリフレーム１６０、シャッター扉１５０，１５１、および扉バネ１７０は、シャッター式筐体１２０の後部に位置付けられるスロット１２１に挿入される。
【００１７】
図９および１０は、シャッター式筐体１２０の保持孔１２３に挿入される整合スリーブ１３０を示し、次いで、シャッター式筐体１２０に取り付けられる標準筐体１１０を示す。シャッター式筐体１２０の保持孔１２３は、標準筐体１１０がシャッター式筐体１２０に取り付けられるときに標準筐体１１０の保持孔１１３と整合するように構成される（標準筐体１１０の保持孔１１３の最良の表示については、図２を参照のこと）。整合スリーブ１３０は、シャッター式筐体１２０および標準筐体１１０の両方の保持孔１１３，１２３内に保持される。図１〜１３の実施形態において、標準筐体１１０は、相補的スナップ機構１１４，１２４を介してシャッター式筐体１２０に取り付けられるが、本発明は、当技術分野で既知の他の手段を用いて２つの筐体部分を一緒に固定することができるため、これらの機構に限定されない。
【００１８】
図１１〜１３に示されるように、光ファイバーコネクタ１８０がシャッター式筐体１２０に挿入されるとき、シャッター扉１５０，１５１は、それらがシャッターサブアセンブリフレーム１６０内の開口部１６５（開口部１６５の最良の表示については、図３を参照のこと）とともに存在するまで内側に、かつ互いに向かって押される。シャッター扉１５０，１５１は、コネクタ１８０がシャッター式筐体１２０に挿入されるときに、シャッター扉１５０，１５１がフェルール１８２を損傷することを防ぐために、コネクタ１８０のフェルール１８２がシャッター扉１５０，１５１と接触し得る前に、ＬＣコネクタ１８０の筐体１８１がシャッター扉１５０，１５１と接触し、かつそれらを内側に、互いに向かって押すことを可能にするように、好ましくは、（光ファイバープラグがシャッター式筐体に挿入されていないときでさえも）後方角度になるように構成される（これは図１２に最もよく示されている）。一実施形態において、フェルール解放ポケット１５６は、フェルール１８２のシャッター扉１５０，１５１との接触の防止を支援するために、シャッター扉１５０，１５１の前面に切り込まれてもよい（フェルール解放ポケット１５６を見るには、図３および４も参照のこと）。
【００１９】
図１４〜１９は、シャッター式ＬＣアダプタ２００の第２の実施形態を示す。この実施形態は、第１の実施形態と類似しているが、但し、それが異なる扉バネ２７０を示し（具体的には、第１の実施形態の定形ワイヤねじりバネではなく、平らな定形バネである）、かつシャッター扉２５０，２５１が、シャッター扉上の棒および穴アセンブリ２５７，２５８ならびにシャッター扉２５０のうちの１つおよびシャッターサブアセンブリフレーム２６０上の保持隆起部２５９によってシャッターサブアセンブリフレーム２６０に取り付けられることを除く（シャッターサブアセンブリフレーム上の保持隆起部は図示されていない）。
【００２０】
図２０〜２４は、シャッター式ＬＣアダプタ３００の第３の実施形態を示す。この実施形態は、アダプタ筐体３０５の中央壁３９５の前面上に取り付けられる金属様の弾性バネ鋼等のバネ様の材料の薄片から形成されるシャッター３９０を利用する。アダプタ筐体３０５は、中央壁３９５がそれらを仕切る２つのＬＣポート開口部３９９を有する。シャッター３９０は、ＬＣポート開口部３９９の正面に対して後方角度で筐体内に延在する第１および第２の扉フラップ３９１，３９２を有する。一実施形態において、シャッター３９０は、アダプタ筐体３０５の中央壁３９５上の形体３９３を融解および圧縮する超音波溶接機を用いて所定の位置に「くい打ち」されてもよい。
【００２１】
図２２〜２４に示されるように、コネクタ１８０がアダプタ３００に挿入されると、第１および第２の扉フラップ３９１，３９２は、アダプタ３００の中央壁３９５内の陥凹部３９７に偏向し、コネクタ１８０に陥凹した扉フラップ３９１，３９２の上下のアダプタの中央壁３９５と接触させることによって機械的完全性を維持することを可能にする。あるいは、シャッター３９０は、内側に偏向してコネクタを安定させるときに側壁として使用されてもよい。他の実施形態において見られるように、シャッター扉フラップ３９１、３９２は、挿入されたコネクタ１８０の主部１８１が扉フラップ３９１，３９２と接触するように後方角度であり、コネクタ１８０のフェルール１８２が扉フラップ３９１，３９２と接触し得る前に、それを中央壁３９５内に折り畳ませる。プラスチックと比較して金属から形成されるシャッター３９０を有する利点の１つに、金属がプラスチックよりも高いレーザー出力に耐えることができることが挙げられる。
【００２２】
上述の実施形態のすべてが二重アダプタを示すが、本発明は、二重アダプタに限定されず、１つ、３つ、またはそれ以上のポートを有するアダプタにおいて使用されてもよい。加えて、上述の実施形態の３つすべてにおいて、二重アダプタの各側面のシャッターまたはシャッター扉は独立して動作し、完全な遮光および防塵を維持しながら二重アダプタの単体使用を可能にする。これらの実施形態は、コネクタラッチ形状が筐体の上に位置付けられることも可能にし、積み重ね耐性を低下させ得る。この実施形態は、シャッターサブアセンブリフレーム上のシャッター扉を単に除去することによって、あるいはシャッターアセンブリフレームを、中実壁を有するか、または扉を全く有しない構成要素と交換することによってアダプタを非シャッター式アダプタに変換することも可能にする。これは、シャッター式および非シャッター式アダプタの両方における同一の筐体の使用を可能にすることによって製造コストを削減することができる。
【００２３】
いくつかの実施形態において、シャッター扉は、不可視の透過光を可視光に変換することができる物質で含浸またはコーティングされてもよい。
【００２４】
本発明の特定の実施形態および適用が図示および説明されているが、本発明が、本明細書に記載の正確な構成および組成に限定されず、かつ記載される本発明の精神および範囲から逸脱することなく、様々な修正、変更、および変形が前述から明らかであり得ることを理解されたい。
【符号の説明】
【００２５】
１００  アダプタ
１１０  標準筐体
１１３  保持孔
１１４  相補的スナップ機構
１２０  シャッター式筐体
１２１  スロット
１２３  保持孔
１２４  相補的スナップ機構
１３０  整合スリーブ
１５０  第１の扉（シャッター扉）
１５１  第２の扉（シャッター扉）
１５２  Ｃ型クランプ
１５６  フェルール解放ポケット
１６０  シャッターサブアセンブリフレーム
１６１  フレーム棒
１６２  保持隆起部
１６５  開口部
１７０  扉バネ
１７１  バネ本体
１７２  バネアーム
１８０  光ファイバーコネクタ
１８１  筐体（主部）
１８２  フェルール
２００  アダプタ
２５０，２５１  シャッター扉
２５７，２５８  穴アセンブリ
２５９  保持隆起部
２６０  シャッターサブアセンブリフレーム
２７０  扉バネ
３００  アダプタ
３０５  アダプタ筐体
３９０  シャッター
３９１  第１の扉フラップ
３９２  第２の扉フラップ
３９３  形体
３９５  中央壁
３９７  陥凹部
３９９  ポート開口部
【図１】
0005934377.tif 000002
【図２】
0005934377.tif 000003
【図３】
0005934377.tif 000004
【図４】
0005934377.tif 000005
【図５】
0005934377.tif 000006
【図６】
0005934377.tif 000007
【図７】
0005934377.tif 000008
【図８】
0005934377.tif 000009
【図９】
0005934377.tif 000010
【図１０】
0005934377.tif 000011
【図１１】
0005934377.tif 000012
【図１２】
0005934377.tif 000013
【図１３】
0005934377.tif 000014
【図１４】
0005934377.tif 000015
【図１５】
0005934377.tif 000016
【図１６】
0005934377.tif 000017
【図１７】
0005934377.tif 000018
【図１８】
0005934377.tif 000019
【図１９】
0005934377.tif 000020
【図２０】
0005934377.tif 000021
【図２１】
0005934377.tif 000022
【図２２】
0005934377.tif 000023
【図２３】
0005934377.tif 000024
【図２４】
0005934377.tif 000025